(57)【要約】【課題】水素と酸素と冷却剤とを混合することによりエネルギーを発生するエネルギー装置を提供する。【解決手段】混合槽２と、水素供給源３と、酸素供給源４と、冷却剤供給源５とが設けてある台座１を備えるエネルギー装置において、混合槽２は、収容空間を有し、収容空間に、流出管路２１３と、水素流入管路２２と、酸素流入管路２３と、冷却剤流入管路２４とが連接し、水素供給源３は、水素流入管路２２に連接し、水素を収容空間に供給し、酸素供給源４は、酸素流入管路２３に連接し、酸素を収容空間に供給し、冷却剤供給源５は、冷却剤流入管路２４に連接し、冷却剤を収容空間に供給する。【選択図】図１
0003122693.tif 000002
【実用新案登録請求の範囲】
【請求項１】
一つの混合槽と、一つの水素供給源と、一つの酸素供給源と、一つの冷却剤供給源と、が設けてある台座を備えるエネルギー装置において、
前記混合槽は、一つの収容空間を有し、前記収容空間に、一つの流出管路と、一つの水素流入管路と、一つの酸素流入管路と、一つの冷却剤流入管路とが連接し、
前記水素供給源は、前記水素流入管路に連接し、水素を前記収容空間に供給し、
前記酸素供給源は、前記酸素流入管路に連接し、酸素を前記収容空間に供給し、
前記冷却剤供給源は、前記冷却剤流入管路に連接し、冷却剤を前記収容空間に供給することを特徴とするエネルギー装置。
【請求項２】
一つの仕切部により、前記収容空間は一つの流入チェンバーと一つの流出チェンバーとに仕切られることを特徴とする請求項１に記載のエネルギー装置。
【請求項３】
前記仕切部には、前記流入チェンバーから流出チェンバーへ通過する流体を濾過するためのフィルタが設けられることを特徴とする請求項２に記載のエネルギー装置。
【請求項４】
前記流出管路は前記収容空間の流出チェンバーに連接し、前記水素流入管路と、前記酸素流入管路と、前記冷却剤流入管路とは前記収容空間の流入チェンバーに連接することを特徴とする請求項２に記載のエネルギー装置。
【請求項５】
前記水素供給源は水素分子貯蔵器であることを特徴とする請求項１に記載のエネルギー装置。
【請求項６】
前記水素分子貯蔵器は断熱スリーブに覆われることを特徴とする請求項５に記載のエネルギー装置。
【請求項７】
前記酸素供給源はエアー・ポンプであることを特徴とする請求項１に記載のエネルギー装置。
【請求項８】
前記エアー・ポンプは一つの直流バッテリに駆動されることを特徴とする請求項７に記載のエネルギー装置。
【考案の詳細な説明】
【技術分野】
【０００１】
本考案は、エネルギー装置に係り、特に、水素と酸素と冷却剤とを混合することによりエネルギーを発生するエネルギー装置に関するものである。
【背景技術】
【０００２】
地球の天然資源、例えば石油、ガスなどのエネルギーは人類の大量消耗により大幅に減少しているので、天然エネルギーの利用および開発はどんどん重要になっており、例えば太陽エネルギー、風力、潮力などがどんどん利用されている。しかし、上記エネルギーの発生装置は、価格が高すぎて、エネルギー転換効率が低く、且つこれらのエネルギー発生装置を設置するために充分なスペースも必要であるので、一般の工場または家庭にとって、そんなエネルギー発生装置を設置するための資金および技術はない。
一般の家庭では、天然ガスをガス炉に供給し燃焼させてエネルギー供給源とするか、または電子レンジや電熱炉をエネルギー供給源として、食べ物を加熱する。なお、天然ガスは工場の溶接作業にも使用可能である。
【０００３】
しかしながら、天然ガスの使用は次のような欠点がある。
（イ）天然ガスは毒性があり、人間が天然ガスを吸入すると、死亡する危険性があり、且つ天然ガスは高圧に圧縮されると、爆発の危険性もある。
（ロ）天然ガスが不完全に燃焼すると、一酸化炭素が発生し、ひいては人間が一酸化炭素を吸入すると、死亡する危険性がある。
【０００４】
したがって、上記欠点を解決するために、ある業者は水素・酸素発生装置７を開発した。前記水素・酸素発生装置７は、図６に示すように、電解槽８と、混合槽９と、前記混合槽９に連接する溶接トーチ９とを備え、前記電解槽８の内部には水が収容され、電源が外部から水素・酸素発生装置７に供給される。なお、電解槽８によって発生した酸素および水素は輸送管路８１を通過して混合槽９に流入して混合し、最後に、酸素と水素の混合気体は溶接トーチ９から流出し、前記混合気体に点火したときの燃焼の熱エネルギーは溶接に適用可能である。
しかしながら、上記装置を設置するためのスペースが広くて、水を電解するための電力は大きいので、産業への利用は普及できず、且つ電力の大量消耗によりランニング・コストも高くなる。
【考案の開示】
【考案が解決しようとする課題】
【０００５】
本考案の主な目的は、水素と酸素と冷却剤とを混合することによりエネルギーを発生するエネルギー装置を提供する。
【課題を解決するための手段】
【０００６】
上記目的を達成するためになされた本考案は、一つの混合槽と、一つの水素供給源と、一つの酸素供給源と、一つの冷却剤供給源とが設けてある台座を備えるエネルギー装置において、前記混合槽は、一つの収容空間を有し、前記収容空間に、一つの流出管路と、一つの水素流入管路と、一つの酸素流入管路と、一つの冷却剤流入管路とが連接し、前記水素供給源は、前記水素流入管路に連接し、水素を前記収容空間に供給し、前記酸素供給源は、前記酸素流入管路に連接し、酸素を前記収容空間に供給し、前記冷却剤供給源は、前記冷却剤流入管路に連接し、冷却剤を前記収容空間に供給することを特徴とするエネルギー装置であることを要旨としている。
【０００７】
本考案では、一つの仕切部により、前記収容空間は一つの流入チェンバーと一つの流出チェンバーとに仕切られてもよい。
本考案では、前記仕切部には、前記流入チェンバーから流出チェンバーへ通過する流体を濾過するためのフィルタが設けてあってもよい。
本考案では、前記流出管路は前記収容空間の流出チェンバーに連接し、前記水素流入管路と、前記酸素流入管路と、前記冷却剤流入管路とは前記収容空間の流入チェンバーに連接してもよい。
本考案では、前記水素供給源は水素分子貯蔵器であってもよい。
本考案では、前記水素分子貯蔵器は断熱スリーブに覆われていてもよい。
本考案では、前記酸素供給源はエアー・ポンプであってもよい。
本考案では、前記エアー・ポンプは一つの直流バッテリに駆動されてもよい。
【０００８】
（考案の効果）
本考案に係るエネルギー装置によれば、次のような効果がある。
（イ）本考案に係るエネルギー装置で発生した気体は、完全に燃焼可能であり、環境に優しく、毒性は無く、黒い煙および一酸化炭素が発生しない。
（ロ）装置を起動すると、即時に使用可能であり、装置を停止すると、気体は発生しなくなり、且つ過熱自動電源遮断などの安全装置が用意してあるので、使用の安全性は高く、また、混合槽は常温常圧で働くので、爆発危険性はない。
【０００９】
（ハ）装置のサイズは大きくなく、台座１の底部にローラーを取付けると移動が楽になり、長時間働くことが可能であり、予熱状態では、約３０秒で気体を発生可能であり、且つ装置のサイズは大きくないので、携帯し易い。
（ニ）温度の発散は少なく、作業環境は暑くならないので、作業者は快適に作業することが可能になる。
【考案を実施するための最良の形態】
【００１０】
以下、添付図面を参照して本考案の好適な実施の形態を詳細に説明する。
まず、図１から図３を参照する。図１から図３に示すのは、本考案を説明するために挙げた実施例だけであり、本考案の実用新案登録請求範囲を限定するためのものではない。
本考案の一実施例に係るエネルギー装置は、一つの混合槽２と、一つの水素供給源３と、一つの酸素供給源４と、一つの冷却剤供給源５とが設けてある台座１を備える。
【００１１】
前記混合槽２は、一つの収容空間２１を有し、前記収容空間２１に、一つの流出管路２１３と、一つの水素流入管路２２と、一つの酸素流入管路２３と、一つの冷却剤流入管路２４とが連接し、一つの仕切部２５により、前記収容空間２１は一つの流入チェンバー２１１と一つの流出チェンバー２１２とに仕切られ、前記仕切部２５には、前記流入チェンバー２１１から流出チェンバー２１２へ通過する流体を濾過するためのフィルタ２５１が設けてある。
【００１２】
前記流出管路２１３は前記収容空間２１の流出チェンバー２１２に連接し、前記水素流入管路２２と、前記酸素流入管路２３と、前記冷却剤流入管路２４とは前記収容空間２１の流入チェンバー２１１に連接する。
前記水素供給源３は、本実施例では、一つの水素分子貯蔵器であり、前記水素流入管路２２に連接することにより、水素が前記収容空間２１の流入チェンバー２１１に供給され、且つ前記水素分子貯蔵器は断熱スリーブ３１に覆われ、前記断熱スリーブ３１は、酸素供給源４に連通し、その内部には気体を流通する空間を有し、前記酸素供給源４からの気体により水素供給源３の温度が一定に維持される。
【００１３】
前記酸素供給源４は、本実施例では、一つのエアー・ポンプであり、前記酸素流入管路２３に連接することにより、酸素が前記収容空間２１の流入チェンバー２１１に供給され、前記エアー・ポンプが直流バッテリ４１に駆動されるので、本実施例に係るエネルギー装置は、室内またはアウトドアにも便利に使用でき、外部電源が必要ない。更に、室内に使用する場合には、直流バッテリ４１の代わりに家庭用交流電源を使用してエアー・ポンプを駆動することも可能である。
【００１４】
前記冷却剤供給源５は、前記冷却剤流入管路２４に連接することにより、冷却剤が前記収容空間２１の流入チェンバー２１１に供給され、前記収容空間２１の流入チェンバー２１１は酸素と水素との混合空間として使用される。なお、酸素と水素との混合気体が燃焼しているときに、冷却剤により燃焼温度が降下し、そうすると、酸素と水素との混合気体の燃焼温度が高すぎて溶接トーチが溶けるのを回避できる。
更に、水素供給源と酸素供給源とに安全装置を組付けてもよく、そうすると、燃焼温度が高すぎるか又は異常状況が発生したときには、水素供給源と酸素供給源とを即時に遮断して安全を確保することができる。
【００１５】
また、図４は本実施例によるエネルギー装置を一般のガス炉６に連接した状態を示す概略図である。ユーザーがアウトドアで食べ物を料理する場合には、本実施例によるエネルギー装置を使用すると、安全性が高くて、携帯が便利であり、且つ混合気体が完全に燃焼可能である。
また、図５は本実施例によるエネルギー装置を一般の溶接トーチ６１に連接した状態を示す概略図である。溶接トーチ６１の火口から噴出する炎の温度は、酸素と水素と冷却剤との混合比例により調整でき、且つ炎が拡散しないので、溶接効率は高い。
【図面の簡単な説明】
【００１６】
【図１】本考案の一実施例によるエネルギー装置の外観を示す斜視図である。
【図２】本考案の一実施例によるエネルギー装置の構造を示す上面概略図である。
【図３】本考案の一実施例によるエネルギー装置の混合槽の構造を示す概略図である。
【図４】本考案の一実施例によるエネルギー装置をガス炉に連接した状態を示す概略図である。
【図５】本考案の一実施例によるエネルギー装置を溶接トーチに連接した状態を示す概略図である。
【図６】従来の水素・酸素発生装置を示す概略図である。
【符号の説明】
【００１７】
１  台座、２  混合槽、２１  収容空間、２１１  流入チェンバー、２１２  流出チャンバー、２１３  流出管路、２２  水素流入管路、２３  酸素流入管路、２４  冷却剤流入管路、２５  仕切部、２５１  フィルタ、３  水素供給源、４  酸素供給源、４１  直流バッテリ、５  冷却剤供給源、６  ガス炉、６１  溶接トーチ
【図１】
0003122693.tif 000003
【図２】
0003122693.tif 000004
【図３】
0003122693.tif 000005
【図４】
0003122693.tif 000006
【図５】
0003122693.tif 000007
【図６】
0003122693.tif 000008